(57)【要約】【課題】簡単な構成により、燃料電池システムにおける凍結部位の凍結を抑制すること。【解決手段】作動油タンク２０に対して、燃料電池の起電反応によって生成された水を処理する排水処理機構４５（水を貯留するタンク３８など）を近接配置させる。これにより、作動油タンク２０の発熱を排水処理機構４５に熱伝達させる。【選択図】図３
2014065377.tif 000002
【特許請求の範囲】
【請求項１】
油圧駆動装置を有する産業用車両において、
燃料電池と、
前記燃料電池の起電反応によって生成された水を処理する排水処理機構と、
前記油圧駆動装置に供給される作動油、及び前記油圧駆動装置から排出される作動油を貯留する作動油タンクと、
前記作動油タンクに対して前記排水処理機構を近接配置し、前記作動油タンクの熱を前記排水処理機構に伝達させることを特徴とする産業用車両。
【請求項２】
前記燃料電池と前記排水処理機構はユニット化されて外板で覆われており、
前記外板における前記作動油タンクからの熱伝達部位には断熱部材が設けられており、前記熱伝達部位以外の前記外板の部位とは断熱されている請求項１に記載の産業用車両。
【請求項３】
前記排水処理機構は、前記作動油タンクに積まれて配置されている請求項１又は請求項２に記載の産業用車両。
【請求項４】
前記排水処理機構には、前記水を移送する移送管を含む請求項１〜請求項３のうち何れか一項に記載の産業用車両。
【発明の詳細な説明】
【技術分野】
【０００１】
本発明は、油圧駆動装置と燃料電池システムを有する産業用車両に関する。
【背景技術】
【０００２】
水素と空気中の酸素とを反応させて発電する燃料電池システムを搭載した産業用車両が実用化されている。燃料電池では、水素と酸素による起電反応によって水が生成される。
ところで、燃料電池システムを搭載した産業用車両としてのフォークリフトは、例えば、寒冷地などで使用される場合や、大型の冷蔵庫や冷凍庫に保管されている荷物を出し入れする場合にも利用される。このため、燃料電池の起電反応によって生成された水が凍結する虞がある。そこで、従来、燃料電池システムの凍結を抑制するための構造が、例えば、特許文献１で提案されている。特許文献１では、燃料電池を断熱材料で形成された断熱壁で覆い、温度センサが０℃を検出して凍結のおそれがある場合、貯水タンクなどの凍結部位に対して断熱壁の周囲で温められた空気を供給し、凍結を抑制している。
【先行技術文献】
【特許文献】
【０００３】
【特許文献１】特開２０１０−２７２２８８号公報
【発明の概要】
【発明が解決しようとする課題】
【０００４】
特許文献１の構造は、燃料電池を断熱壁で覆うとともに、凍結のおそれがある場合には断熱壁周囲の空気を凍結部位に対して供給する構造を必要とすることから、凍結を抑制するための構造が複雑である。
【０００５】
この発明は、このような従来の技術に存在する問題点に着目してなされたものであり、その目的は、簡単な構成により、燃料電池システムの凍結を抑制し得る産業用車両を提供することにある。
【課題を解決するための手段】
【０００６】
上記問題点を解決するために、請求項１に記載の発明は、油圧駆動装置を有する産業用車両において、燃料電池と、前記燃料電池の起電反応によって生成された水を処理する排水処理機構と、前記油圧駆動装置に供給される作動油、及び前記油圧駆動装置から排出される作動油を貯留する作動油タンクと、前記作動油タンクに対して前記排水処理機構を近接配置し、前記作動油タンクの熱を前記排水処理機構に伝達させることを要旨とする。
【０００７】
これによれば、排水処理機構と作動油タンクを近接配置させることで、作動油タンクの熱を排水処理機構に伝達させることができる。したがって、排水処理機構の凍結を抑制することができる。また、作動油タンクと排水処理機構の配置によって凍結を抑制させるので、構成を簡素化することができる。
【０００８】
請求項２に記載の発明は、請求項１に記載の産業用車両において、前記燃料電池と前記排水処理機構はユニット化されて外板で覆われており、前記外板における前記作動油タンクからの熱伝達部位には断熱部材が設けられており、前記熱伝達部位以外の前記外板の部位とは断熱されていることを要旨とする。これによれば、断熱部材を設けることで、熱伝達部位以外の外板の部位へ熱が逃げて行くことを抑制できる。したがって、排水処理機構の凍結を抑制することができる。
【０００９】
請求項３に記載の発明は、請求項１又は請求項２に記載の産業用車両において、前記排水処理機構は、前記作動油タンクに積まれて配置されていることを要旨とする。これによれば、作動油タンクの熱を確実に排水処理機構へ伝達させることができる。
【００１０】
請求項４に記載の発明は、請求項１〜請求項３のうち何れか一項に記載の産業用車両において、前記排水処理機構には、前記水を移送する移送管を含むことを要旨とする。これによれば、水を移送させる移送管が凍結すると、燃料電池の発電効率を低下させる要因となるので、作動油タンクの熱を移送管へ伝達させることで凍結を抑制できる。
【発明の効果】
【００１１】
本発明によれば、簡単な構成により、燃料電池システムの凍結を抑制することができる。
【図面の簡単な説明】
【００１２】
【図１】フォークリフトの側面図。
【図２】燃料電池システムの概略構成図。
【図３】作動油タンクと、生成水タンク及び配管の配置を模式的に示す模式図。
【図４】別例を説明する説明図。
【発明を実施するための形態】
【００１３】
以下、本発明を具体化した一実施形態を図１〜図３にしたがって説明する。
図１に示すように、産業用車両としてのフォークリフト１０には、車体１１の前部にマスト１２が設けられている。マスト１２にはフォーク１３がリフトブラケット１４を介して昇降可能に装備されるとともに、油圧駆動装置としての油圧式のリフトシリンダ１５の伸縮運動によりフォーク１３がリフトブラケット１４とともに昇降される。また、マスト１２は、油圧駆動装置としての油圧式のティルトシリンダ１６の伸縮運動により傾動される。車体１１の前下部には駆動輪（前輪）１７が設けられるとともに、駆動輪１７は車軸に装備された差動装置およびギヤ（いずれも図示せず）を介して走行用モータ１８により駆動される。
【００１４】
車体１１には、リフトシリンダ１５及びティルトシリンダ１６の各油室に作動油を給排するための油圧機構１９が搭載されている。油圧機構１９は、各シリンダ１５，１６に供給される作動油、及び各シリンダ１５，１６から排出される作動油を貯留する作動油タンク２０、作動油タンク２０から作動油を汲み上げる油圧ポンプを駆動する荷役用モータ２１、及び作動油を流通させる配管などによって構成される。また、車体１１には、燃料電池システム２２が搭載されている。燃料電池システム２２は、走行用モータ１８や荷役用モータ２１の電源として使用される。
【００１５】
次に、図２にしたがって燃料電池システム２２の構成を説明する。
図２に示すように、燃料電池２３は、例えば固体高分子型の燃料電池が使用される。燃料電池２３の水素供給ポートには流路２４を介して水素タンク２５が接続されている。流路２４には燃料電池２３へ供給される水素の圧力を調整する図示しない調圧弁が設けられている。また、コンプレッサ２６が備えられ、コンプレッサ２６は、流路２７を介して加湿器２８に接続されている。加湿器２８は、供給流路２９を介して燃料電池２３の酸素供給ポートに接続されるとともに、流路３０を介してオフガス排出ポートに接続されている。そして、コンプレッサ２６で加圧された空気が加湿器２８で加湿された後、燃料電池２３の酸素供給ポートに供給されるとともに、燃料電池２３のカソード極からのオフガス（カソードオフガス）は流路３０を介して加湿器２８に排出される。
【００１６】
燃料電池２３は、水素タンク２５から供給される水素と、コンプレッサ２６から供給される空気中の酸素とを反応させて直流の電気エネルギー（直流電力）を発生する。この際、燃料電池２３の起電反応によって水が生成される。そして、加湿器２８は排出流路３１を介して希釈器３２に接続されるとともに、排出流路３１には調圧バルブ３３が設けられている。
【００１７】
また、燃料電池２３のアノード極からのオフガス（アノードオフガス）は流路３４を介して希釈器３２に排出される。流路３４には開閉弁３５が設けられている。また、流路３４には、気液分離器３６が設けられている。気液分離器３６で分離された水素は、流路３７を介して燃料電池２３と水素タンク２５との間の流路２４に戻され、燃料電池２３に供給される。
【００１８】
希釈器３２は、タンク３８を具備し、タンク３８において分離した生成水が蓄えられる。希釈器３２には排出管３９を介してベンチュリ式霧化器４０が接続されている。ベンチュリ式霧化器４０のベンチュリノズル４１には希釈器３２からのガスが供給される。ベンチュリノズル４１は流路の一部が絞られており、この絞り部４１ａにおいて流速が速くなり負圧が発生する。即ち、ベンチュリノズル４１でのガスの通過に伴い負圧が発生する。
【００１９】
ベンチュリ式霧化器４０のベンチュリノズル４１の絞り部４１ａと希釈器３２のタンク底部とは生成水の供給管４２により接続されている。生成水の供給管４２の途中にはベンチュリバルブ４３が設けられている。ベンチュリバルブ４３を開けた状態において、ベンチュリノズル４１において生ずる負圧により、燃料電池２３で生成され、タンク３８に蓄えられた生成水を吸引して霧化することができる。
【００２０】
また、燃料電池２３には、冷却機構４４が接続されている。冷却機構４４は、燃料電池２３の冷却液と空気を熱交換することにより、燃料電池２３の冷却液を冷却する。そして、冷却機構４４に供給された冷却液は、空気との熱交換後に燃料電池２３へ供給されて、燃料電池２３を冷却する。
【００２１】
図１及び図３に示すように、作動油タンク２０には、燃料電池システム２２において生成水を処理する排水処理機構４５が積まれて配置されている。排水処理機構４５は、生成水、又は生成水を含むガスが移送される移送管としての流路３０，３４、及び排出流路３１と、生成水を貯留するタンク３８からなる。そして、排水処理機構４５は、作動油タンク２０に積まれて配置されることにより、作動油タンク２０に対して近接配置される。タンク３８は、その底部側が作動油タンク２０に近接配置されている。なお、近接配置には、すぐ近くに配置されている場合に限らず、接触して配置されている場合も含む。
【００２２】
以下、本実施形態の作用を説明する。
燃料電池２３の起電反応によって生成された水は、タンク３８に貯留されている場合や、流路３０，３４、及び排出流路３１に付着されている場合がある。このため、フォークリフト１０が低温環境下で長時間駐車している場合や運転している場合には、生成水が凍結するおそれがある。
【００２３】
一方、リフトシリンダ１５やティルトシリンダ１６に供給される作動油は、フォークリフト１０の運転中であれば圧力損失にて温度の高い状態が保たれる。そして、作動油は、運転停止後においてその温度が低下し難い。つまり、作動油は、比較的、長い時間を掛けて温度が低下する。このため、作動油タンク２０は、運転中、及び運転停止後、温度が高められた作動油によって温められる。これにより、作動油タンク２０に近接配置された排水処理機構４５には、作動油タンク２０の熱が伝達される。
【００２４】
したがって、本実施形態によれば、以下に示す効果を得ることができる。
（１）排水処理機構４５を作動油タンク２０に対して近接配置することで、作動油タンク２０の熱を排水処理機構４５に伝達させることができる。したがって、排水処理機構４５の凍結を抑制することができる。また、作動油タンク２０と排水処理機構４５の配置によって凍結を抑制させるので、構成を簡素化することができる。
【００２５】
（２）排水処理機構４５を作動油タンク２０に積んで配置しているので、作動油タンク２０の熱を確実に排水処理機構４５へ伝達させることができる。
（３）排水処理機構４５を構成する流路３０，３４、及び排出流路３１などの生成水を移送させる管を作動油タンク２０に近接配置している。これらの管は、生成水が管壁に付着し、そのまま凍結する可能性がある。これらの管が凍結すると、燃料電池２３の発電効率を低下させる要因となるので、作動油タンク２０の熱を伝達させることで凍結を抑制できる。また、排水処理機構４５を構成するタンク３８についても作動油タンク２０の熱を伝達させることで凍結を抑制できる。
【００２６】
（４）また、作動油タンク２０は、作動油の熱が低下し難いことから、長時間に亘って発熱状態を維持する。したがって、作業終了後、翌日の作業開始までの間の凍結を抑制する構成として適している。そして、作動油タンク２０は、フォークリフト１０などの油圧駆動装置を有する車両が必ず具備する構成であるから、凍結対策のためにヒータなどの新たな部材をフォークリフト１０に搭載させる必要もない。したがって、コスト増を招くことなく、凍結対策を施すことができる。
【００２７】
なお、本実施形態は以下のように変更してもよい。
○  図４に示すように、燃料電池システム２２を外板（ケース）４６で覆う場合には、作動油タンク２０に近接配置させる部位、すなわち熱伝達させる部位を、他の外板４６の部位と断熱する断熱部材４７を配置すると良い。この構成によれば、作動油タンク２０から伝達される熱が外板４６を伝って逃げていくことを抑制できる。したがって、タンク３８などの排水処理機構４５の凍結を抑制できる。なお、燃料電池システム２２を外板４６で覆う構成は、フォークリフトの場合、リプレイスメントを行うときに採用される。例えば、リプレイスメントは、鉛蓄電池を電源とするフォークリフトにおいて鉛蓄電池を燃料電池に載せ換える場合などに行われる。
【００２８】
○  図４に示す断熱部材４７を配置させる構成は、リプレイスメントする場合に限らず、当初から燃料電池システム２２を搭載する車両に適用しても良い。
○  作動油タンク２０に対してタンク３８を並設しても良い。
【００２９】
○  タンク３８を囲むように作動油タンク２０の形状を変更しても良い。
○  作動油タンク２０に対してタンク３８のみを近接配置しても良いし、流路３０，３４、及び排出流路３１などの移送管のみを近接配置しても良い。
【００３０】
○  燃料電池システム２２の構成を変更しても良い。例えば、ベンチュリ式霧化器４０を省略し、生成水をタンク３８に貯留することで生成水を処理する構成としても良い。
○  ベンチュリ式霧化器４０を作動油タンク２０に近接配置しても良い。
【００３１】
○  フォークリフト以外の燃料電池式の産業用車両に具体化しても良い。
○  油圧駆動装置としては、油圧式のリフトシリンダや油圧式のティルトシリンダなどの荷役用の油圧駆動装置に限られず、例えば走行用の油圧モータなど走行用の油圧駆動装置であっても良い。
【００３２】
次に、上記実施形態及び別例から把握できる技術的思想を以下に追記する。
（イ）排水処理機構には、水を貯留するタンクを含む請求項１〜請求項４のうち何れか一項に記載の産業用車両。
【００３３】
（ロ）車両は、鉛蓄電池を前記燃料電池に載せ換えたリプレイスメント車両である請求項１〜請求項４、及び前記技術的思想（イ）のうち何れか一項に記載の産業用車両。
【符号の説明】
【００３４】
１０…フォークリフト、１５…リフトシリンダ、１６…ティルトシリンダ、２０…作動油タンク、２３…燃料電池、３０，３４…流路、３１…排出流路、４５…排水処理機構、４６…外板、４７…断熱部材。
【図１】
2014065377.tif 000003
【図２】
2014065377.tif 000004
【図３】
2014065377.tif 000005
【図４】
2014065377.tif 000006